(57)【要約】  ゴルフのチッピングゲームと、ゴルフのチッピングゲームのプレイの方法とが開示されている。該ゴルフのチッピングゲームは、複数のホール（１０４、１０５）が中に画定されている傾斜したプレイ面（１０２）と、該プレイ面を構成する、または、該プレイ面に取り付けられた衝撃吸収材（１０６）と、該プレイ面からある距離を置いて配置可能であるチッピングマット（１１１）とを含む。
2019528854.tif 000002
【特許請求の範囲】
【請求項１】
少なくとも一つのホールが中に画定されているプレイ面と、
前記プレイ面からある距離をおいて配置可能であるチッピングマット、および／または、
前記プレイ面を構成し、または、該プレイ面に取り付けられた衝撃吸収材と、
を備えるゴルフのチッピングゲーム。
【請求項２】
前記プレイ面に画定された複数のホールをさらに備える、請求項１に記載のゴルフのチッピングゲーム。
【請求項３】
前記衝撃吸収材は、擬芝様材料である、請求項１に記載のゴルフのチッピングゲーム。
【請求項４】
前記プレイ面は、前記チッピングマットに向かって傾斜されている、請求項１に記載のゴルフのチッピングゲーム。
【請求項５】
折り畳まれていない位置にあるときに前記プレイ面の傾斜をもたらすように、該プレイ面に取り付けられた、少なくとも一つの折り畳み可能な脚部をさらに備える、請求項４に記載のゴルフのチッピングゲーム。
【請求項６】
ボール捕集手段をさらに備える、請求項２に記載のゴルフのチッピングゲーム。
【請求項７】
前記ボール捕集手段は、前記複数のホールの各々の下に一つのネットバスケットが配置された状態の、前記プレイ面の下面にまたは該下面の周りに取り付けられた、複数のネットバスケットである、請求項６に記載のゴルフのチッピングゲーム。
【請求項８】
前記プレイ面は、サイズが約２フィート×３フィートである、請求項１に記載のゴルフのチッピングゲーム。
【請求項９】
前記ホールの直径は、ゴルフボールの直径よりも大きく、少なくとも二つの異なるサイズから成っている、請求項２に記載のゴルフのチッピングゲーム。
【請求項１０】
少なくとも一つのゴルフボールサイズのボールをさらに備える、請求項１に記載のゴルフのチッピングゲーム。
【請求項１１】
複数のホールが中に画定されている第二のプレイ面と、
前記第二のプレイ面からある距離を置いて配置可能である第二のチッピングマットと、
をさらに備える、請求項１に記載のゴルフのチッピングゲーム。
【請求項１２】
前記プレイ面は、互いに離れて配置され、および互いに向かって傾斜され、チッピングマットが、一つのプレイ面に近接して配置される、請求項１１に記載のゴルフのチッピングゲーム。
【請求項１３】
ゴルフのチッピングゲームのためのプレイ方法であって、
少なくとも一つのホールを有するプレイ面を、チッピングマットからある距離に配置することと、
前記チッピングマットの上にゴルフボールを配置することと、
ゴルフクラブを用いて、前記ゴルフボールを前記プレイ面に向かって打つことと、
を含む方法。
【請求項１４】
前記プレイ面は、複数のホールを有する、請求項１３に記載のゴルフのチッピングゲームのためのプレイ方法。
【請求項１５】
前記ゴルフボールを前記プレイ面に向かって打った後の、前記プレイ面および複数のホールに関連する前記ゴルフボールに基づいて点を記録することをさらに含む、請求項１４に記載のゴルフのチッピングゲームのためのプレイ方法。
【請求項１６】
前記プレイ面に対向する別のプレイ面を配置することと、
前記チッピングマットに対向する別のチッピングマットを配置することと、
をさらに含む、請求項１３に記載のゴルフのチッピングゲームのためのプレイ方法。
【請求項１７】
複数のホールが中に画定されている二つの傾斜したプレイ面と、
前記プレイ面を構成し、または、該プレイ面に取り付けられた衝撃吸収材と、
少なくとも一つのプレイ面からある距離を置いて配置可能である二つのチッピングマットと、
をさらに備える、請求項１に記載のゴルフのチッピングゲーム。
【請求項１８】
前記衝撃吸収材は、擬芝様材料である、請求項１７に記載のゴルフのチッピングゲーム。
【請求項１９】
折り畳まれていない位置にあるときに前記プレイ面の傾斜をもたらすように、該プレイ面に取り付けられた、少なくとも一つの折り畳み可能な脚部をさらに備える、請求項１７に記載のゴルフのチッピングゲーム。
【請求項２０】
複数のホールが中に画定されている第二のプレイ面と、
前記第二のプレイ面からある距離を置いて配置可能である第二のチッピングマットと、
をさらに備える、請求項１７に記載のゴルフのチッピングゲーム。
【請求項２１】
前記プレイ面は、互いに離れて、および互いに向かって傾斜して配置され、チッピングマットが、一つのプレイ面に近接して配置される、請求項２０に記載のゴルフのチッピングゲーム。
【発明の詳細な説明】
【技術分野】
【０００１】
本発明は、ゴルフの異なる態様を、携帯可能でコンパクトな形態で組合せたゴルフゲームに関し、また、ゴルフのチッピングの練習および／またはトレーニング装置にも関する。
【背景技術】
【０００２】
バックヤードゲームはたくさんある。それらは楽しめて、人間関係が築かれる。より一般的なバックヤードゲームのいくつかは、馬蹄投げ、バッチボール（ｂｏｃｃｅ  ｂａｌｌ）、コーンホール（すなわち、ビーンバッグトス）、ローンダーツ、リングトスおよびワッシャ―トスを含む。これらのゲームは、一般的に、持ち運びを容易にするために携帯可能であり、およびコンパクトである。これらのゲームは、すべて、比較的小さな屋外スペース、例えば、裏庭、公園、駐車場テールゲートまたは浜辺でプレイすることができ、多くの場合、二人のプレーヤーから成る二つのチームによってプレイされる。この様式のほとんどのゲーム、および上記のゲームの間違いなくすべては、点を稼いで、そのゲームに勝つために、人の手のみを使って投射物をターゲットに向かって前進させる。
【発明の概要】
【発明が解決しようとする課題】
【０００３】
これらのゲームにないものは、携帯可能でコンパクトで面白いゴルフゲームを探し求める人達のためのゴルフというテーマである。
【０００４】
本発明は、従来技術におけるこれらの問題およびその他の問題を解決する。
【課題を解決するための手段】
【０００５】
本願明細書においては、ゴルフのチッピングゲーム、およびゴルフのチッピングゲームのためのプレイ方法が提供される。
【０００６】
一つの実施形態によれば、複数のホールがその中に画定されている競技面と、該競技面からある距離を置いて配置可能であるチッピングマットとを備えるゴルフのチッピングゲームが開示されている。
【０００７】
別の実施形態によれば、チッピングマットからある距離に、複数のホールを有する競技面を位置決めすることと、該チッピングマット上にゴルフボールを位置決めすることと、ゴルフクラブを用いて、該ゴルフボールを該競技面に向かって打つこととを含む、ゴルフのチッピングゲームのためのプレイ方法が開示されている。
【０００８】
さらに別の実施形態によれば、複数のホールがその中に画定されている傾斜した競技面と、該競技面を構成し、または、該競技面に取り付けられた衝撃吸収材料と、該競技面からある距離を置いて配置可能であるチッピングマットとを備えるゴルフのチッピングゲームが開示されている。
【図面の簡単な説明】
【０００９】
本開示は、以下の図面が付随する具体的な説明から容易に明らかになるであろう。図面全体を通して、類似の参照数字は、同様の部材を示すものとする。
【図１】本開示による、ゴルフのチッピングゲームの斜視図である。
【図２】本開示による、ゴルフのチッピングゲームのターゲットの側平面図である。
【図３】本開示による、ゴルフのチッピングゲームのチッピングマットの側平面図である。
【図４】本開示による、ゴルフのチッピングゲームの下側の斜視図である。
【図５】本開示による、ゴルフのチッピングゲームの単一のターゲットでのプレイを説明する略図である。
【図６】本開示による、ゴルフのチッピングゲームの二つのターゲットでのプレイを説明する略図である。
【発明を実施するための形態】
【００１０】
本開示は、この開示の一部を構成する添付図面とともに解釈すれば、本開示に関する以下の詳細な説明によって、より容易に理解することができる。この開示は、本願明細書に記載されおよび／または示されている特定の装置、方法、条件またはパラメータに限定されないこと、および本願明細書で用いられる専門用語は、ほんの一例として具体的な実施形態を説明するためのものであり、およびクレームされた開示を限定しようとするものではないことを理解すべきである。
【００１１】
また、「一つの」および「該」という単数形は、添付クレームを含めて、本明細書で用いられる場合、複数を含み、および、具体的な数字への言及は、該文脈が明確に別様に指示していない限り、少なくとも当該の具体的な値を含むものとする。本願明細書において、範囲は、「約」または「およそ」一つの具体的な値から、および／または「約」または「およそ」別の具体的な値までのように表すことができる。このような範囲が表されている場合、別の実施形態は、該一つの具体的な値からおよび／または他方の具体的な値までを含む。同様に、値が、「約」という先行詞を用いて近似値として表されている場合、該具体的な値が、別の実施形態を構成することが理解されるであろう。また、すべての空間的言及、例えば、水平、垂直、上部、上方、下方、底部、左および右等は、単に例示を目的としたものであり、本開示の範囲内で変えることができることは理解されよう。
【００１２】
本開示は、公知のゲームの欠点のうちの一つ以上を克服する、新規なゴルフのチッピングゲームおよびプレイ方法について記載している。より具体的には、いくつかの実施形態によれば、コンパクトで携帯可能なゴルフのチッピングゲームを提供する。
【００１３】
該ゴルフのチッピングゲームは、人々がゴルフの完全な競争ラウンドのプレイに関連するチャレンジ、褒賞および楽しみを経験することを可能にするが、人々が、かなり少ない時間で、かなり小さいスペースでそうすることを可能にし、才能をほとんど要せず、および身体的努力および／または負担をほとんど要しないであろう。該ゴルフのチッピングゲームは、バックヤードゲームに関連するチャレンジ、褒賞および楽しみを経験することを可能にするであろう。該ゴルフのチッピングゲームは、人々が、重要なゴルフスキル、すなわち、チップショットを、楽しく、競争的でユニークな方法で練習することを可能にするであろう。
【００１４】
上記ゴルフのチッピングゲームは、実際のゴルフの多くの態様を模倣し、さらには、二つのターゲットを有し、および提案型得点パラメータを提供する、人気のある伝統的なバックヤードゲームの態様、例えば、二対二のゲームプレイを組み込むことができる、面白くかつ競争的なゲームになるようにデザインされているという点で他のゴルフチッピング装置とは異なる。該ゴルフのチッピングゲームは、ゴルフの多くの態様を模倣しているという点で、およびプレーヤーは、傾斜して下支えされ、および異なる得点オプションのためにデザインされた、戦略的に配置されかつ戦略的なサイズで形成されたホールを含む芝で覆われたターゲットめがけて、ゴルフクラブを用いて芝のチッピングマットからゴルフボールを打つという点で、他のバックヤードゲームとは異なる。
【００１５】
上記ゴルフのチッピングゲームは、ゴルフの態様と、伝統的なバックヤードゲームの態様を組合せている。このことは、人が、喜び、楽しみ、ならびに身体的および精神的チャレンジ、およびゴルフにおいて人気の褒賞を、かなり小さなスペースで実現することを可能にする。重みが付けられたチッピングマットは、任意の面、例えば、芝生、砂、コンクリート上でのプレイを可能にし、および表面の下および使用されているゴルフクラブに対する損傷を防止する。芝で覆われたターゲットは、実際のゴルフのグリーンの様子や感触を模倣している。該ターゲットは、プレイに対して理想的な地面に対して傾斜して構成されている。該ターゲットは、戦略的にサイズが形成され、および戦略的に配置され、および実際のゴルフの得点を模倣することができる得点システムのためにデザインされているホールを含んでいる。
【００１６】
上記ゴルフのチッピングゲームは、ゴルフ、具体的には、ゴルフで多くの場合、用いられるチップショットの関与を、バックヤードの競争ゲームのこの伝統に導入する。
【００１７】
上記従来技術は、ゴルフのチッピング練習装置およびターゲットを含むが、ゴルフのチッピングスペースにおける従来技術の大部分は、練習に対して単純にデザインされて利用され、およびゴルフボールをターゲットにチッピングすることと、本開示による、競争的な二対二の態様または新規なゴルフのチッピングゲームのユニークな得点システムとを組み合わせている何らかのゴルフのチッピング装置を含んでいない。
【００１８】
さらに、伝統的なバックヤードゲームの該二対二の競争的性質を促進するための、本願明細書に記載されているターゲット、およびチッピングマットの存在、および／または二つのこのようなターゲットの存在および／または二つのチッピングマットの存在もまた、すべて本開示によるゴルフのチッピングゲームのユニークな特性である。
【００１９】
次に、該図面への参照とともに、詳細な説明を示す。
【００２０】
図１は、本開示による、ゴルフのチッピングゲーム１００を示す略図である。該ゴルフのチッピングゲームには、ターゲット１０１およびチッピングマット１１１が含まれている。必要に応じて、しかし好ましくは、一つ以上のゴルフボール１２１も、ゴルフのチッピングゲーム１００に含まれている。
【００２１】
ターゲット１０１は、プレイ面１０２および脚部１０３を含む。プレイ面１０２は、好ましくは矩形形状であるが、他の形状も考えられる。好ましくは、プレイ面１０２は、大きなプレイ面を設けるために、幅が２４”で、長さが４０”である。プレイ面１０２は、例えば、木、プラスチック、金属、または、ゴルフボール１２１からの複数の繰り返しの当たりに耐えるのに十分な強さの他の材料を含む一つ以上の材料から形成することができる。プレイ面１０２は、それを貫通するホール１０４、１０５を画定している。該ホールは、同じサイズおよび／または形状、または、異なるサイズおよび／または形状とすることができる。ホール１０４、１０５のサイズに対する一つの要件は、その直径が、ゴルフボール１２１の直径よりも大きい、およびより現実的なプレイに対しては、好ましくは、４．２５”という規定のゴルフホールの直径以上であるということである。
【００２２】
プレイ面１０２は、プレイ中に地面と平行にすることができるが、脚部１０３は、正規のプレイ中に、プレイ面１０２をある角度で、チッピングマット１１１に向かって傾斜させる手段を備えている。脚部１０３は、動いて、ユーザの好みによって異なる角度を、可能にするように設計することができるが、一般的には、地面から１５〜３０度が好ましい。脚部１０３は、好ましくは、プレイ面１０２の幅にわたる単一のＵ字状ユニットであり、脚部１０３のいずれかの端部においてヒンジピン１０７を介してプレイ面１０２に回転可能に取付けられている。該回転可能な接続は、コンパクトな保管および持ち運びのために、脚部１０３を、プレイ面１０２の下面に押し付けて折り畳むことを可能にしている。代替的な実施形態では、脚部１０３は、二つの個別のポスト（図示せず）で構成することができる。さらに、プレイ面１０２に回転可能に取付けられていると説明したが、脚部１０３は、プレイ中および保管時のそれぞれにおける容易な接続および取外しのために、（どのような実施形態においても）プレイ面１０２に着脱可能に接続することができる。脚部１０３の好適な構成は、砂のような柔軟な面を含むさまざまな面で、ターゲット１０１を脚部１０３によって支持することを可能にする。脚部１０３は、例えば、木材、プラスチック、金属、または、その好適な位置において、プレイ面１０２を支持することが可能な他の材料を含む一つ以上の材料から形成することができる。
【００２３】
ターゲット１０１は、使用していないときに、チッピングマット１１１とゴルフボール１２１を格納するように構成することができる。例えば、図４に示すように、プレイ面１０２の下面は、それぞれ、チッピングマット１１１およびゴルフボール１２１を収容するためのチッピングマット収容部１０８およびゴルフボール収容部１０９を含むことができる。好適な実施形態において、チッピングマットの収容部１０８は、ターゲット１０１が携帯されるときに、チッピングマット１１１がチッピングマット収容部１０８内に留まるように、チッピングマット１１１を止まりばめするようなサイズで形成され、他の構成も考えられる。好適な実施形態において、ゴルフボール収容部１０９は、ターゲット１０１が携帯されるときに、ゴルフボール１２１が、ゴルフボール収容部１０９内に留まるように、ゴルフボール１２１を保持するようなサイズで形成され、他の構成も考えられる。
【００２４】
プレイ面１０２は、ゴルフボール１２１がプレイ面１０２にぶつかったときにより現実的なプレイを可能にするように、衝撃吸収材１０６で構成され、または、該衝撃吸収材が付着されている。衝撃吸収材１０６は、ゴムマット、人工ターフ、人工芝、これらの組合せ等を含むことができる。衝撃吸収材１０６が構造的に充分である場合、プレイ面１０２自体は、衝撃吸収材１０６で構成することができ、衝撃吸収材１０６が構造的に充分ではない場合には、衝撃吸収材１０６は、プレイ面１０２の上面に付着させることができる。どちらの場合も、衝撃吸収材１０６は、ゴルフボール１２１がプレイ面１０２にぶつかったときの衝撃減衰を実行できる。
【００２５】
ゴルフボール１２１を捕えるためにホール１０４、１０５の下に配置されたネット１０８は、プレイ面１０２に取付けられている。ゴルフボール１２１を捕えるための他手段も考えられ、例えば、下方トレイ（図示せず）をプレイ面の下に取り付けて、ゴルフボールを捕えたあと、ターゲット１０１の前方へ向けることができる。
【００２６】
チッピングマット１１１は、好ましくは、ベース１１２に取り付けられた人工ターフ１１３で形成される。好適な実施形態において、人工ターフ１１３は、実際のゴルフプレイにすごく似るように、高品質の人工ターフである。ベース１１２は、好ましくは、例えば、砂、芝生、コンクリート等のさまざまな表面状態で、チッピングマット１１１が望ましくない動きをするのを防ぐように十分に重くなっている重いゴム材料である。人工ターフ１１３は、公知の何らかの手段、例えば、接着剤または機械的固締具を用いて、ベース１１２に取付けることができる。チッピングマット１１１のサイズおよび形状は、変えることができるが、１２インチ×１０インチのチッピングマット１１１サイズが好適である。チッピングマット１１１の厚さは、プレイ面１０２の下面から実質的に延びることなく、チッピングマット収容部１０８にコンパクトに嵌めることができるようにすべきである。チッピングマット１１１は、人がスパイクを地面に打ち込むことを可能にする面でプレイされた場合に、チッピングマット１１１を定位置に保持するためのアンカーまたはスパイクを含むことができる。
【００２７】
ゴルフボール１２１は、好ましくは、高密度フォーム、例えば、ポリウレタンから製造される。この材料は、ミスショットで近くの人を負傷させることを恐れずに、該ゲームをどこでもプレイできるようにするであろう。また、ゴルフボール１２１の密度も、プレーヤーが、実際のゴルフボールを使用しているように感じることを可能にする。実際のゴルフボールを使用することもできる。
【００２８】
ターゲット１０１は、フラッグまたはピン１３１を含むこともでき、該フラッグは、プレーヤーの奥行感覚を容易にし、該ターゲットの全体の美観を向上させ、および実際のゴルフコースの実際のグリーンの見た目や雰囲気をここでも模倣するように、ターゲット１０１に挿入し、または、取付けることができる。
【００２９】
＜プレイ方法＞
上述したように、上記ゴルフのチッピングゲームは、図５に示すように、単一のターゲットと、単一のチッピングマットを用いてプレイすることができる。好適な実施形態において、該ゴルフのチッピングゲームは、図６に示すように、二つの対向するターゲットと、二つの対向するチッピングマットとを用いてプレイされる。
【００３０】
図６のダブルターゲットプレイでは、該ゴルフのチッピングゲームは、二つのターゲット１０１Ａおよび１０１Ｂと、二つのチッピングマット１１１Ｃおよび１１１Ｄとから成り、他の実施形態は、上述した高密度フォームのゴルフボール１２１を含む。プレーヤーは、自身のゴルフクラブおよび／またはゴルフボールを使用することができる。他のクラブやボールも考えられ、それらを該ゲームで使用することができる。次に、それぞれ二人のプレーヤーがいるか、または、二つのチームがあるフォープレーヤーゲームについて説明する。
【００３１】
ターゲット１０１Ａとターゲット１０１Ｂが、ターゲット１０１Ａおよび１０１Ｂの上面が互いに対向する状態で、約１５フィート（他の距離も考えられる）離して配置される。チッピングマット１１１Ｃおよび１１１Ｄは、それぞれのターゲットの前方に置かれ、好ましくは、各ターゲットの中心と位置合わせされる。プレーヤー１および３は、対抗するチームにいて、ターゲット１０１Ａのいずれかの側からプレイする。また、プレーヤー２および４も、対抗するチームにいて、ターゲット１０１Ｂのいずれかの側からプレイする。プレーヤー１および２は、同じチームにいて、プレーヤー３および４は、同じチームにいる。各チームは、三つのゴルフボールで開始する。一つ以上のゴルフクラブが、各ターゲットにおいて使用される。ゴルフクラブは、共用することができ、または、各プレーヤーは、自身のクラブを有することができる。
【００３２】
該ゲームを始めるために、対抗するチームにいて、ターゲット１０１Ａに隣接して位置しているプレーヤー１および３が第一ホールをプレイする。プレーヤー１は、チッピングマット１１１Ｃに隣接して立って、彼の三つのゴルフボールのすべてをターゲット１０１Ｂに向かって打つ。プレーヤー１は、彼の三つのショットに関するトータルまたはネットスコアを取得する。次に、プレーヤー１と同じ側に立っているプレーヤー３、すなわち、プレーヤー１の対戦相手がチッピングマット１１１Ｃに近づく。プレーヤー３も、ターゲット１０１Ｂに向かって三つのショットを試みて、彼のトータルまたはネットスコアを取得する。プレーヤー１とプレーヤー３の間で、ベストのトータルまたはネットスコアを有するプレーヤー（すなわち、当該チーム）が、当該ホールで勝利することになる。それが、Ｈｏｌｅ＃１になる。Ｈｏｌｅ＃１の勝者は、スコアカードとすることができる、または、スコアボードとすることができるスコアリング装置上に標記される。次いで、動作は、ターゲット１０１Ｂに隣接して位置しているプレーヤー２および４に移る。前のホールで勝ったチームのプレーヤーは、ゴルフでプレイされるようなオナー制度と同様に、または、該オナー制度を模倣して、先に行うことができる。Ｈｏｌｅ＃１で、プレーヤー１が、より良いスコアを出した、すなわち、該ホールで勝ったと仮定すると、彼のチームメート、すなわち、プレーヤー２が先に行うことになる。Ｈｏｌｅ＃１で行われた同じシーケンスのイベントが、Ｈｏｌｅ＃２に対して続くことになる。一旦、Ｈｏｌｅ＃２の勝者が決まると、スコアリング装置に標記されて、再びプレーヤー１および３がＨｏｌｅ＃３をプレイする。このことは、どちらが勝つにしても、一方のチームが十のホールで勝つまで、または、残りのプレイすべきホールよりも多くのホールで勝つまで、各側が順番を変えて続くことになる。十八ホールの後で、該スコアが同点の場合は、サドンデスタイブレーカーホール（ｓｕｄｄｅｎ  ｄｅａｔｈ  ｔｉｅｂｒｅａｋｅｒ  ｈｏｌｅ）がプレイされることになる。
【００３３】
同じゲームのより短いバージョンは、どちらが勝つにしても、一方のチームが五つのホールで勝つまで、または、残りのプレイすべきホールよりも多くのホールで勝利するまでプレイすることができる。実際には、任意の数のホールをプレイすることができる。また、このスコアリングの方法は、現実のゴルフの「マッチプレイ」を模倣しているのに対して、プレーヤーは、現実のゴルフの「ストロークプレイ」を反映しているゲームをプレイすることも選択することができ、この場合、各プレーヤーは、単に、各ホールの彼自身のスコアの記録をつけることになる。実際には、該ゲームは、「推奨または推薦するスコアリング」を備えており、任意のスコアリングのバリエーションをプレイすることができ、このことは、それがゴルフのユニークで面白い側面であるように、このゲームのユニークで面白い側面である。他のプレイのバリエーションも考えられる。
【００３４】
多くの異なるバリエーションを有することが望ましく、ユニークであり、および面白いが、推薦／推奨のスコアリングオプションのうちの一つは、ゴルフをテーマにしてもよい。例えば、ターゲットを外したことに対して最小点（または、ネガティブポイント）が与えられる。ターゲットに命中したが、ホールの一つを達成していないことに対してより多くの点（イーブンポイント）が与えられる。ボールをホールの一つに命中させることに対して最大点が与えられ、異なるサイズの異なるホールには、ホールの直径に基づいて点が与えられ、ホールの直径が小さければ小さいほど、当該ホールを達成したプレーヤーには、より多くの点が与えられる。
【００３５】
次に、具体的なスコアリングルールの一つの実施例について説明する。チップショットがターゲットを完全に外した場合、スコアは、当該ショットに対してボギー（＋１）となる。チップショットがフライでターゲットに命中したが、どのホールにも入らない場合には、スコアは、当該ショットに対してパー（Ｅ）となる。チップショットが中間の最大のホールに入った場合には、スコアは、当該ショットに対してバーディー（−１）となる。チップショットが、小さい方のホールに入った場合には、スコアは、当該ショットに対してイーグル（−２）となる。
【００３６】
各プレーヤーは、ホール当たり三つのショットを打つため、該プレーヤーは、三つすべてのショットからスコアを合計して、当該ホールの彼のスコアを取ることになる。例えば、プレーヤーの最初のショットの場合、彼がボールをチップショットして、ターゲットを完全に外した場合、ボギー（＋１）となる。彼の第二打がターゲットに命中して、ホールに入ることなくこぼれた場合には、パー（Ｅ）となる。彼の第三打が、中間の最大のホールに入ると、バーディー（−１）となる。その結果、彼は、彼のスコア（＋１，−１，Ｅ）を合計して、当該ホールの彼のスコア、すなわち、Ｅを得る。これがゴルフをテーマとするスコアリングであるため、最小スコアが該ホールに勝利する。つまり、次に彼の対戦相手が打って、Ｅというスコアを打ち負かそうとする。彼は、最初の二つのショットをターゲットに命中させ（Ｅ，Ｅ）、第三打でターゲットを完全に外して、ボギー（＋１）となる。彼の全体のスコアは＋１であるため、彼は、プレーヤー１のＥというスコアに負けることになる。
【００３７】
別のスコアリング方法は、例えば、ゼロ（０）ポイントというスコアにすることができる。チップショットが、フライでターゲットに命中したが、どのホールにも入らない場合、スコアは、一（１）ポイントとなる。チップショットが、より大きな中間のホールに入った場合には、スコアは、三（３）ポイントとなる。チップショットが、上部の角のより小さいホールのいずれかに入った場合には、スコアは、五（５）ポイントとなる。
【００３８】
各プレーヤーは、ホール当たり三つのショットを打つため、該プレーヤーは、三つすべてのショットからスコアを合計して、当該ホールの彼の全体のスコアを取ることになる。当該ホールに対して最高の全体スコアを有するプレーヤーが、当該ホールに勝利することになる。
【００３９】
本願明細書には、ゲームプレイが記載されているが、プレーヤーの楽しみを高めるために、プレイの変形や変更が考えられ、および勧められる。
【００４０】
この出願は、方法または手順のステップを特定の順番で列挙したが、特定の状況では、該順番を変更することが可能であり、または、都合が良い可能性があり、この場合、いくつかのステップが実行され、また、該方法または手順クレームの具体的なステップは、そのような順番の特定が、クレームにおいて明確に記載されていない限り、順番が特定されていると解釈されないことが意図されている。
【００４１】
該装置および該方法の好適な実施形態を、それらが開発された環境に関連して説明してきたが、該装置および方法は、本発明の原理に関する単に例示的なものである。上述したアセンブリ、他の実施形態、構成、および本発明を実行するための方法の変更または組合せ、および当業者には明白である本発明の態様の変形例は、クレームの範囲内にあることが意図されている。
【図１】
2019528854.tif 000003
【図２】
2019528854.tif 000004
【図３】
2019528854.tif 000005
【図４】
2019528854.tif 000006
【図５】
2019528854.tif 000007
【図６】
2019528854.tif 000008
【国際調査報告】
2019528854.tif 000009
2019528854.tif 000010
2019528854.tif 000011
2019528854.tif 000012
2019528854.tif 000013